(57)【特許請求の範囲】
【請求項１】
装置本体と、
該装置本体の少なくとも側面に配置される外装部材と、
を備え、
前記外装部材は、前記装置本体の前面を覆う前面部と、前記装置本体の前記側面を覆う側面部と、前記装置本体の背面を覆う背面部と、前記装置本体の第１被係合部と係合可能な第１係合部と、前記装置本体の第２被係合部と係合可能な第２係合部と、を有し、
前記第１係合部と前記第２係合部は、前記外装部材の一端側に形成され、
前記外装部材が前記装置本体に取り付けられた状態では、前記第１被係合部と前記第１係合部とが外れる第１抜け方向と、前記第２被係合部と前記第２係合部とが外れる第２抜け方向とが交差し、
前記装置本体は、前記外装部材をガイドして該外装部材を撓み変形させるガイド部を有し、
前記ガイド部は、前記第１被係合部が形成された一端側とは反対の他端側に形成され、前記背面部を変形させることを特徴とする記録装置。
【請求項２】
装置本体と、
前記装置本体に付属する付属部材と、
前記装置本体と前記付属部材の少なくとも側面に配置され、前記装置本体及び前記付属部材の前記側面を覆う外装部材と、
を備え、
前記外装部材は、複数の第１被係合部とそれぞれ係合可能な複数の第１係合部と、複数の第２被係合部とそれぞれ係合可能な複数の第２係合部と、を有し、
前記第１被係合部は、前記装置本体と前記付属部材にそれぞれ設けられ、
前記第２被係合部は、前記装置本体と前記付属部材にそれぞれ設けられ、
前記第１係合部と前記第２係合部は、前記外装部材の一端側に形成され、
前記外装部材が前記装置本体及び前記付属部材に取り付けられた状態では、前記第１被係合部と前記第１係合部とが外れる第１抜け方向と、前記第２被係合部と前記第２係合部とが外れる第２抜け方向とが交差し、
前記第２係合部と前記第２被係合部のうち一方は突起部であると共に他方は前記突起部が挿入される穴部であることを特徴とする記録装置。
【請求項３】
前記第１係合部は、前記第２係合部よりも前記一端側に形成されることを特徴とする請求項１又は請求項２に記載の記録装置。
【請求項４】
前記付属部材は、前記装置本体の重力方向側に装着され、前記装置本体に供給される媒体を収容する媒体収容部を備えることを特徴とする請求項２に記載の記録装置。
【請求項５】
前記突起部の先端と前記穴部の縁は面取りされていることを特徴とする請求項２又は請求項４に記載の記録装置。
【請求項６】
前記突起部の底面は、円形であることを特徴とする請求項２、請求項４及び請求項５のうち何れか一項に記載の記録装置。
【請求項７】
前記装置本体に付属する付属部材をさらに備え、
前記装置本体と前記付属部材は、側方からねじ止めされていることを特徴とする請求項１に記載の記録装置。
【請求項８】
前記装置本体と前記付属部材のうち少なくとも一方は、弾性を有する舌片部を備え、
前記舌片部がねじ止めされていることを特徴とする請求項７に記載の記録装置。
【発明の詳細な説明】
【技術分野】
【０００１】
本発明は、例えばインクジェット式プリンターなどの記録装置に関する。
【背景技術】
【０００２】
従来から、ベースフレーム（装置本体）とハウジング部材（外装部材）とを備えたインクジェットプリンター（記録装置）が知られている（例えば特許文献１）。このインクジェットプリンターは、ハウジング部材に形成されたフックをベースフレームに形成されたフック係止部に係止させることにより、ハウジング部材をベースフレームに取り付けていた。
【先行技術文献】
【特許文献】
【０００３】
【特許文献１】特開２０１３−１４６９９６号公報
【発明の概要】
【発明が解決しようとする課題】
【０００４】
ところで、例えば部品の交換を行う場合など、ハウジング部材を取り外さなければならないことがある。しかし、フックをフック係止部に係止させている場合には、マイナスドライバーなどの工具を使ってフックの係止を解除させた状態でハウジング部材を取り外さなければならない。そのため、こうしたインクジェットプリンターは、分解しにくかった。
【０００５】
なお、こうした課題は、ベースフレームとハウジング部材とを備えたプリンターに限らず、装置本体と外装部材とを備えた記録装置においては、概ね共通したものとなっている。
【０００６】
本発明は、こうした実情に鑑みてなされたものであり、その目的は、分解性を向上できる記録装置を提供することにある。
【課題を解決するための手段】
【０００７】
以下、上記課題を解決するための手段及びその作用効果について記載する。
上記課題を解決する記録装置は、装置本体と、該装置本体の少なくとも側面に配置される外装部材と、を備え、前記外装部材は、前記装置本体の第１被係合部と係合可能な第１係合部と、前記装置本体の第２被係合部と係合可能な第２係合部と、を有し、前記第１係合部と前記第２係合部は、前記外装部材の一端側に形成され、前記外装部材が前記装置本体に取り付けられた状態では、前記第１被係合部と前記第１係合部とが外れる第１抜け方向と、前記第２被係合部と前記第２係合部とが外れる第２抜け方向とが交差する。
【０００８】
外装部材を装置本体に取り付ける場合は、例えば、まず第１係合部と第１被係合部とを係合させる。そして、第１係合部と第１被係合部とが係合した部分を中心として外装部材を取り付け方向に回動させることにより、第２係合部と第２被係合部とを係合させる。すると、第１係合部の第１抜け方向と第２係合部の第２抜け方向とが交差する。そして、この構成によれば、外装部材が第１抜け方向へ移動するのを、第２係合部により規制することができる。そして、外装部材を装置本体から取り外す場合には、例えば第１係合部と第１被係合部とが係合した部分を中心として外装部材を取り外し方向に回動させることにより、第２係合部と第２被係合部との係合を外すことができる。したがって、装置本体から外装部材を容易に取り外すことができるため、記録装置の分解性を向上できる。
【０００９】
上記記録装置において、前記第１係合部は、前記第２係合部よりも前記一端側に形成されるのが好ましい。
この構成によれば、第１係合部が第２係合部よりも一端側に形成されているため、第１係合部と第２係合部とを離して形成できる。そのため、外装部材を装置本体に安定して取り付けることができる。
【００１０】
上記記録装置は、前記装置本体に付属する付属部材をさらに備え、前記外装部材は、複数の前記第１係合部と複数の前記第２係合部とを有し、前記付属部材は、前記第１係合部と係合可能な第１被係合部と、前記第２係合部と係合可能な第２被係合部とを有するのが好ましい。
【００１１】
この構成によれば、外装部材に形成された複数の第１係合部は、装置本体に形成された第１被係合部と、付属部材に形成された第１被係合部と、それぞれ係合する。さらに、外装部材に形成された複数の第２係合部は、装置本体に形成された第２被係合部と、付属部材に形成された第２被係合部と、それぞれ係合する。すなわち、外装部材は、装置本体と付属部材の双方と係合するため、記録装置の堅牢性を高めることができる。
【００１２】
上記記録装置において、前記付属部材は、前記装置本体の重力方向側に装着され、前記装置本体に供給される媒体を収容する媒体収容部を備えるのが好ましい。
装置本体と付属部材の側面には、外装部材が配置される。そのため、この構成によれば、付属部材から装置本体に媒体を供給する場合でも、装置本体と付属部材との継ぎ目を外装部材により隠し、記録装置の見栄えをよくできる。
【００１３】
上記記録装置において、前記第２係合部と前記第２被係合部のうち一方は突起部であると共に他方は前記突起部が挿入される穴部であり、前記突起部の先端と前記穴部の縁は面取りされているのが好ましい。
【００１４】
この構成によれば、第２係合部と第２被係合部を、先端が面取りされた突起部と縁が面取りされた穴部とすることにより、面取りしない場合に比べて第２係合部と第２被係合部を容易に係合させることができる。
【００１５】
上記記録装置において、前記突起部の底面は、円形であるのが好ましい。
この構成によれば、突起部の底面が円形であるため、突起部と穴部とが係合した場合に、外装部材の移動を精度よく規制できる。
【００１６】
上記記録装置において、前記装置本体は、前記外装部材をガイドするガイド部を有し、前記ガイド部は、前記第１被係合部が形成された一端側とは反対の他端側に形成されるのが好ましい。
【００１７】
この構成によれば、装置本体における第１被係合部が形成された一端側とは反対の他端側に形成されたガイド部に外装部材をガイドさせることができるため、外装部材を装置本体に取り付けやすくすることができる。
【００１８】
上記記録装置において、前記装置本体に付属する付属部材をさらに備え、前記装置本体と前記付属部材は、側方からねじ止めされているのが好ましい。
この構成によれば、装置本体と付属部材は、側方からねじ止めされているため、側面に配置される外装部材を外すことにより、ねじを露出させることができる。したがって、装置本体と付属部材とを容易に分解できる。
【００１９】
上記記録装置において、前記装置本体と前記付属部材のうち少なくとも一方は、弾性を有する舌片部を備え、前記舌片部がねじ止めされているのが好ましい。
この構成によれば、弾性を有する舌片部をねじ止めすることにより、装置本体と付属部材の組み付けやすさを向上できる。
【図面の簡単な説明】
【００２０】
【図１】一実施形態の記録装置を備える複合機の斜視図。
【図２】画像読取装置が開位置に位置した状態の複合機の斜視図。
【図３】複合機の模式図。
【図４】記録装置の分解斜視図。
【図５】図４におけるＦ５部分に示す舌片部と凹部の拡大斜視図。
【図６】舌片部が係合した状態を示す斜視図。
【図７】外装部材の内面側からの斜視図。
【図８】外装部材に形成された爪部と突起部の斜視図。
【図９】着脱体勢の外装部材の爪部が留め部と係合した状態を示す断面図。
【図１０】着脱体勢の外装部材と装置本体の側面とを示す模式断面図。
【図１１】ガイド部にガイドされる外装部材と装置本体の側面とを示す模式断面図。
【図１２】図１１における一端側の部分拡大図。
【図１３】被覆体勢の外装部材と装置本体の側面とを示す模式断面図。
【図１４】図１３における一端側の部分拡大図。
【図１５】第１変形例の外装部材の着脱体勢を示す断面図。
【図１６】第１変形例の外装部材の被覆体勢を示す断面図。
【図１７】第２変形例の外装部材の着脱体勢を示す断面図。
【発明を実施するための形態】
【００２１】
以下、記録装置の一実施形態を図面に従って説明する。
図１に示すように、複合機１１は、記録装置１２と、記録装置１２上に配置された画像読取装置１３と、画像読取装置１３に原稿を送る自動給紙装置１４とを備え、全体として略直方体状をなしている。そして、記録装置１２の一端側（前面側）には、複合機１１の各種の操作を行うためのタッチパネルやボタンなどの操作部１５が設けられている。この操作部１５の重力方向Ｚ側には、例えば用紙などの媒体１６を収容可能な第１媒体収容部１７ａと第２媒体収容部１７ｂとが着脱可能に装着されている。そして、操作部１５と第１媒体収容部１７ａとの間の位置には、媒体収容部１７ａ，１７ｂから供給されて記録（印刷）された媒体１６が排出される排出部１８が設けられている。また、記録装置１２の両側面には、重力方向Ｚの下端位置に手掛部１９（図１，図２参照）が凹設されている。
【００２２】
図２に示すように、画像読取装置１３は、操作部１５が設けられた一端側とは反対の他端側（背面側）に設けられたヒンジなどの回転機構２０を介して取り付けられている。すなわち、画像読取装置１３は、記録装置１２に対して開閉可能であり、図１に示す閉位置と、図２に示す開位置との間で回動する。そして、画像読取装置１３を開位置に位置させると、記録装置１２の内部が露出し、インクなどの液体を収容した収容容器（例えばインクカートリッジ）２１を交換可能となる。
【００２３】
図３に示すように、記録装置１２は、装置本体２２と、装置本体２２に付属する付属部材２３とを備えている。この付属部材２３は、装置本体２２の重力方向Ｚ側に装着される。すなわち、付属部材２３は、装置本体２２側となる上面から突出した凸形状部２４を備え、この凸形状部２４が装置本体２２の凹形状部２５に挿入されることによって位置決めされる。また、付属部材２３は、装置本体２２に供給される媒体１６を収容する第２媒体収容部１７ｂを備える。一方、第１媒体収容部１７ａは、装置本体２２に設けられている。
【００２４】
また、記録装置１２は媒体収容部１７ａ，１７ｂに収容された媒体１６を給送する給送部２７と、給送された媒体１６を搬送する搬送部２８と、搬送部２８によって搬送される媒体１６に記録を行う記録部２９とを備えている。なお、給送部２７は、各媒体収容部１７ａ，１７ｂに個別に対応するように複数（本実施形態では２つ）設けられている。なお、装置本体２２と付属部材２３にそれぞれ設けられた給送部２７の構成はほぼ同じである。
【００２５】
さて、給送部２７は、媒体収容部１７ａ，１７ｂに積層状態で配置された媒体１６のうち、最上位の媒体１６を送り出すピックアップローラー３０と、ピックアップローラー３０により送り出された媒体１６が当接可能な当接部３１とを備えている。すなわち、媒体１６は、先端が当接部３１に当接して抵抗を受けることにより、１枚ずつ分離された状態で給送される。
【００２６】
そして、搬送部２８は、搬送駆動ローラー３２と、搬送駆動ローラー３２との間に媒体１６を挟持して従動回転する少なくとも１つ（図３では２つ）の搬送従動ローラー３３と、少なくとも１つ（図３では２つ）の搬送ローラー対３４とを備えている。そして、媒体１６が搬送される搬送経路沿いには、媒体１６を支持するための媒体支持部３５が配置されている。
【００２７】
また、媒体１６の搬送経路を挟んで媒体支持部３５に対向する位置に設けられた記録部２９は、ガイド軸３６に支持されて走査方向Ｘに往復移動可能なキャリッジ３７と、キャリッジ３７に搭載された記録ヘッド３８とを備えている。なお、走査方向Ｘとは、媒体１６の搬送方向Ｙと交差（例えば直交）する方向である。そして、記録ヘッド３８は、媒体支持部３５に支持された媒体１６に対しノズルから液体を噴射して記録を行う。
【００２８】
図４に示すように、記録装置１２は、装置本体２２の少なくとも側面に配置される外装部材４０を備えている。なお、外装部材４０は、装置本体２２及び付属部材２３の両側面をそれぞれ覆うように複数（本実施形態では２つ）配置されている。そして、これらの外装部材４０の構成及び装置本体２２への取り付け方法は略同じである。そのため、以下では一方（前面側から見て左側）の外装部材４０を説明し、同一符号を付すことによって他方の外装部材４０及びこの外装部材４０を取り付けるための構成の説明は省略する。
【００２９】
さて、装置本体２２と付属部材２３の前面には、外装部材４０が係合可能な第１被係合部の一例である留め部４１と、第２被係合部の一例である穴部４２とが少なくとも１つ（本実施形態の装置本体２２には２つ）ずつ設けられている。なお、留め部４１は、穴部４２よりも記録装置１２の中央寄りの位置に設けられていると共に、留め部４１同士、及び穴部４２同士は、走査方向Ｘにおいてほぼ同じ位置に形成されている。また、対をなす留め部４１と穴部４２は、重力方向Ｚにおいてほぼ同じ位置に形成されている。
【００３０】
また、装置本体２２と付属部材２３において、外装部材４０により覆われる側面には、基端（下端）が片持ち支持されて弾性を有する舌片部４３と、この舌片部４３と対応する凹部４４とが少なくとも１組（本実施形態では右側面と左側面に２組ずつ）形成されている。
【００３１】
図５，図６に示すように、付属部材２３に形成された舌片部４３は、装置本体２２側となる先端（上端）が面取りされていると共に、装置本体２２に形成された凹部４４は、付属部材２３側となる下端が面取りされている。さらに、舌片部４３における先端側には、凹部４４に形成された凸部４５と係合する長穴４６が形成されている。そして、舌片部４３と凹部４４には、側方に向かって開口する側方ねじ穴４７，４８が形成されている。すなわち、装置本体２２と付属部材２３は、側方ねじ穴４７，４８同士を位置合わせした状態で、これらの側方ねじ穴４７，４８にねじ４９を螺合させることにより、舌片部４３が側方からねじ止めされて固定されている。
【００３２】
図７に示すように、外装部材４０は、装置本体２２及び付属部材２３の前面を覆う前面部５１と、装置本体２２及び付属部材２３の側面を覆う側面部５２と、装置本体２２及び付属部材２３の背面を覆う背面部５３とを有している。すなわち、外装部材４０は、側面部５２よりも一端４０ａ側に前面部５１が設けられていると共に、側面部５２よりも他端４０ｂ側に背面部５３が設けられている。そして、前面部５１と背面部５３は、側面部５２に対してほぼ直交して形成されていると共に、側面部５２と交差する角には丸みが付けられている。また、背面部５３は、重力方向Ｚにおける一部（本実施形態では中央部分）が他の部分よりも幅広に形成されて、撓み変形しやすく形成されている。
【００３３】
さらに、外装部材４０は、前面部５１、側面部５２、及び背面部５３とそれぞれ交差する底面部５４と上面部５５とを有し、射出成形により一体で成形されている。そして、底面部５４に形成された手掛部１９（図４参照）には、下方ねじ穴５７が形成されている。また、上面部５５には、上方ねじ穴５８が形成されていると共に、背面部５３には後方ねじ穴５９が形成されている。
【００３４】
外装部材４０の一端４０ａ側となる前面部５１には、複数（本実施形態では３対）の第１係合部の一例である爪部６１と、第２係合部の一例である突起部６２とが形成されている。すなわち、外装部材４０は、装置本体２２及び付属部材２３に形成された留め部４１と係合可能な爪部６１と、装置本体２２及び付属部材２３に形成された穴部４２と係合可能な突起部６２とを有している。そして、爪部６１は、突起部６２よりも一端４０ａ側に形成されている。
【００３５】
図８，図９に示すように、爪部６１は、一端４０ａよりも若干内側の位置から、一端４０ａ側に向かって延びるように鉤状に形成されている。すなわち、爪部６１は、先端部が前面部５１の内面と隙間を有するように形成されていると共に、この隙間の大きさが留め部４１の厚みよりも大きくなるように形成されている。具体的には、爪部６１と内面との間の隙間は、爪部６１が留め部４１と係合した際に、外装部材４０が回動可能な程度に余裕を持たせた寸法とされている。なお、外装部材４０の回動可能な角度は、隙間の寸法が大きいほど大きくなる。そのため、余裕を持たせた寸法とは、外装部材４０を回動させる角度に応じて変化し、爪部６１は、穴部４２に係合した突起部６２が穴部４２から抜け得る程度に外装部材４０が回動するように形成されている。また、突起部６２は、底面が円形の円筒状に形成されている。そして、突起部６２の先端と、この突起部６２が挿入される穴部４２の縁は、面取りされている。
【００３６】
図１０に示すように、装置本体２２は、外装部材４０をガイドするガイド部６３を有している。このガイド部６３は、留め部４１が形成された一端側とは反対の他端側（背面側）に形成されている。なお、ガイド部６３は、装置本体２２の他端側の角を面取りして形成された斜面である。
【００３７】
次に、外装部材４０を装置本体２２及び付属部材２３に取り付ける場合の作用について説明する。
図９，図１０に示すように、着脱体勢Ｐ１の外装部材４０を、爪部６１と留め部４１とが係合するように装置本体２２及び付属部材２３に装着する。なお、着脱体勢Ｐ１とは、外装部材４０が装置本体２２に対して傾いた体勢であり、装置本体２２の前面と外装部材４０の前面部５１とが交差する体勢である。そして、着脱体勢Ｐ１にある外装部材４０の爪部６１が留め部４１から外れる第１抜け方向Ａは、前面部５１に沿う方向であって、爪部６１が延びる方向とは反対の方向となる。
【００３８】
そして、爪部６１と留め部４１とが係合した部分を中心として外装部材４０を取り付け方向Ｂに回動させる。なお、取り付け方向Ｂは、突起部６２が前面部５１から突出する方向とほぼ一致する。
【００３９】
図１１，図１２に示すように、外装部材４０を回動させると、外装部材４０の背面部５３は、ガイド部６３にガイドされて撓み変形する。すなわち、背面部５３は、他端４０ｂが前面部５１から離れるように変形する。
【００４０】
また、図１２に示すように、外装部材４０が取り付け方向Ｂに回動すると、爪部６１が延びる方向が変化するため、第１抜け方向Ａも変化する。
図１３，図１４に示すように、さらに外装部材４０が取り付け方向Ｂに回動すると、突起部６２が穴部４２に挿入されて係合し、外装部材４０は、装置本体２２及び付属部材２３に取り付けられてそれぞれの側面を覆う被覆体勢Ｐ２となる。そして、このように外装部材４０が装置本体２２に取り付けられた状態では、留め部４１と爪部６１とが外れる第１抜け方向Ａと、穴部４２と突起部６２とが外れる第２抜け方向Ｃとが交差する。
【００４１】
そして、爪部６１と留め部４１、及び突起部６２と穴部４２がそれぞれ係合した状態で、上方ねじ穴５８、下方ねじ穴５７、後方ねじ穴５９にねじ（図示略）を螺合させることにより、外装部材４０を装置本体２２に固定する。
【００４２】
次に、装置本体２２と付属部材２３を分解する場合の作用について説明する。
なお、外装部材４０を取り外す手順は、外装部材４０を取り付ける手順とは逆となる。具体的には、まず画像読取装置１３を開位置に位置させる。すると、上方ねじ穴５８に螺合したねじ（図示略）が露出するため、このねじを容易に取り外すことができる。さらに、下方ねじ穴５７及び後方ねじ穴５９に螺合したねじ（図示略）を取り外す。すると、外装部材４０は、背面部５３側が移動可能な状態となる。
【００４３】
すなわち、図１３，図１４に示すように、取り付け方向Ｂとは反対の取り外し方向Ｄは、突起部６２の第２抜け方向Ｃとほぼ一致する。そのため、外装部材４０を止めていたねじを外すことにより、外装部材４０は回動可能となる。そして、外装部材４０を取り外し方向Ｄに回動させると、突起部６２と穴部４２との係合が解除される。すなわち、被覆体勢Ｐ２の外装部材４０を留め部４１と爪部６１とが係合した部分を中心として取り外し方向Ｄに回動させる。
【００４４】
なお、図１１に示すように、外装部材４０を取り外す場合も、背面部５３は、ガイド部６３にガイドされる。そのため、外装部材４０は、背面部５３が撓み変形しつつ回動する。
【００４５】
そして、図９に示すように、着脱体勢Ｐ１となった外装部材４０を第１抜け方向Ａに移動させることにより、外装部材４０を装置本体２２及び付属部材２３から取り外す。そして、装置本体２２と付属部材２３とを固定するねじ４９を取り外すことにより、装置本体２２と付属部材２３とを分解する。
【００４６】
上記実施形態によれば、以下のような効果を得ることができる。
（１）外装部材４０を装置本体２２に取り付ける場合は、例えば、まず爪部６１と留め部４１とを係合させる。そして、爪部６１と留め部４１とが係合した部分を中心として外装部材４０を取り付け方向Ｂに回動させることにより、突起部６２と穴部４２とを係合させる。すると、爪部６１の第１抜け方向Ａと突起部６２の第２抜け方向Ｃとが交差する。そして、この構成によれば、外装部材４０が第１抜け方向Ａへ移動するのを、突起部６２により規制することができる。そして、外装部材４０を装置本体２２から取り外す場合には、例えば爪部６１と留め部４１とが係合した部分を中心として外装部材４０を取り外し方向Ｄに回動させることにより、突起部６２と穴部４２との係合を外すことができる。したがって、装置本体２２から外装部材４０を容易に取り外すことができるため、記録装置１２の分解性を向上できる。
【００４７】
（２）爪部６１が突起部６２よりも一端４０ａ側に形成されているため、爪部６１と突起部６２とを離して形成できる。そのため、外装部材４０を装置本体２２に安定して取り付けることができる。
【００４８】
（３）外装部材４０に形成された複数の爪部６１は、装置本体２２に形成された留め部４１と、付属部材２３に形成された留め部４１と、それぞれ係合する。さらに、外装部材４０に形成された複数の突起部６２は、装置本体２２に形成された穴部４２と、付属部材２３に形成された穴部４２と、それぞれ係合する。すなわち、外装部材４０は、装置本体２２と付属部材２３の双方と係合するため、記録装置１２の堅牢性を高めることができる。
【００４９】
（４）装置本体２２と付属部材２３の側面には、外装部材４０が配置される。そのため、付属部材２３から装置本体２２に媒体１６を供給する場合でも、装置本体２２と付属部材２３との継ぎ目を外装部材４０により隠し、記録装置１２の見栄えをよくできる。
【００５０】
（５）突起部６２と穴部４２を、先端が面取りされた突起部６２と縁が面取りされた穴部４２とすることにより、面取りしない場合に比べて突起部６２と穴部４２を容易に係合させることができる。
【００５１】
（６）突起部６２の底面が円形であるため、突起部６２と穴部４２とが係合した場合に、外装部材４０の移動を精度よく規制できる。
（７）装置本体２２における留め部４１が形成された一端側とは反対の他端側に形成されたガイド部６３に外装部材４０をガイドさせることができるため、外装部材４０を装置本体２２に取り付けやすくすることができる。
【００５２】
（８）装置本体２２と付属部材２３は、側方からねじ止めされているため、側面に配置される外装部材４０を外すことにより、ねじ４９を露出させることができる。したがって、装置本体２２と付属部材２３とを容易に分解できる。
【００５３】
（９）弾性を有する舌片部４３をねじ止めすることにより、装置本体２２と付属部材２３の組み付けやすさを向上できる。
（１０）記録装置１２を容易に分解することができるため、基板やローラーなどの記録装置１２が備える部品の交換を容易に行うことができる。
【００５４】
（１１）外装部材４０は、画像読取装置１３とは係合していないため、記録装置１２に対して画像読取装置１３を回動させることができる。そして、画像読取装置１３を開位置に位置させることにより、記録装置１２の上方から収容容器２１を容易に交換することができる。
【００５５】
（１２）外装部材４０は、前面部５１に爪部６１と突起部６２とを有し、前面部５１とは異なる面にねじ穴を有している。そのため、複合機１１を前方から見た場合にねじが隠れ、複合機１１の見栄えをよくすることができる。
【００５６】
なお、上記実施形態は以下のように変更してもよい。
・図１５，図１６に示すように、爪部６１は、円柱状の留め部４１をくわえ込むように、断面視で一部が開口した円環状に形成し、弾性変形可能としてもよい。すなわち、爪部６１の開口に留め部４１を押し込むようにして係合させてもよい。
【００５７】
この第１変形例によれば、外装部材４０を装置本体２２と付属部材２３の少なくとも一方に係合させた場合に、着脱体勢Ｐ１のまま係合状態を維持させることができる。すなわち、例えば複合機１１のメンテナンスを行う場合に、外装部材４０を着脱する作業及び取り外した外装部材４０の保管スペースが不要となり、効率よく作業を行うことができる。
【００５８】
・図１７に示すように、爪部６１は、外装部材４０の一端４０ａから突起部６２側に向かって延びるように形成してもよい。
・上記実施形態において、爪部６１を一端４０ａに形成してもよい。すなわち、爪部６１を一端４０ａから突出するように形成してもよい。
【００５９】
・上記実施形態において、外装部材４０は、少なくとも側面部５２を備えていればよい。すなわち、前面部５１、背面部５３、上面部５５、底面部５４を備えない構成としてもよい。また、前面部５１、背面部５３、上面部５５、底面部５４のうち、少なくとも１つ備える構成としてもよい。
【００６０】
・上記実施形態において、外装部材４０は、重力方向Ｚの一端（上端もしくは下端）側に爪部６１と突起部６２とを備え、重力方向Ｚに沿って回動して着脱体勢と被覆体勢とを変更してもよい。すなわち、例えば、外装部材４０は、上端側となる上面部５５に爪部６１と突起部６２とを有し、下端側となる底面部５４を上方から下方に移動させることにより装置本体２２に取り付けてもよい。また、外装部材４０は、背面部５３に爪部６１と突起部６２を有し、前面部５１側が回動されて装置本体２２に取り付けられてもよい。
【００６１】
・上記実施形態において、外装部材４０は、下方ねじ穴５７、上方ねじ穴５８、後方ねじ穴５９のうち、少なくとも１つを備える構成としてもよい。
・上記実施形態において、外装部材４０に形成された爪部６１と突起部６２の数は異なっていてもよい。
【００６２】
・上記実施形態において、装置本体２２と付属部材２３は、舌片部４３とは異なる位置でねじ止めされてもよい。また、装置本体２２と付属部材２３は、ねじ止めしなくてもよい。
【００６３】
・上記実施形態において、付属部材２３は、舌片部４３を備えない構成としてもよい。また舌片部４３は、装置本体２２に形成してもよい。
・上記実施形態において、装置本体２２と付属部材２３は、側方とは異なる方向からねじ止めしてもよい。
【００６４】
・上記実施形態において、付属部材２３を備えない構成としてもよい。
・上記実施形態において、装置本体２２は、ガイド部６３を備えない構成としてもよい。すなわち、外装部材４０の大きさを装置本体２２に当たらない程度に大きくしてもよい。
【００６５】
・上記実施形態において、突起部６２の底面の形状は任意に変更してもよい。例えば、突起部６２の底面を楕円形、矩形、多角形、星形、扇形などとしてもよい。また、突起部６２は、柱体、錐体、錐台としてもよい。
【００６６】
・上記実施形態において、突起部６２の先端と穴部４２の縁は面取りしなくてもよい。また、突起部６２の先端と穴部４２の縁の何れか一方を面取りしてもよい。
・上記実施形態において、突起部６２と穴部４２は、互いに係合可能であれば任意に変更してもよい。例えば、装置本体２２に形成された第２被係合部の一例である突起部を、外装部材４０に形成された第２係合部の一例である穴部に挿入させてもよい。また、例えば上記第１変形例のように、一方が他方をくわえ込む形状としてもよい。
【００６７】
・上記実施形態において、付属部材２３は第２媒体収容部１７ｂを備えない構成としてもよい。例えば付属部材は、収容容器２１を着脱可能な装着部や記録ヘッド３８に供給する液体を貯留するタンクを備えてもよい。また、付属部材は、記録ヘッド３８のメンテナンスに伴って排出された廃液を回収する回収部を備えてもよい。そして、付属部材は、装置本体２２の重力方向Ｚ側とは異なる位置に装着されてもよい。例えば、記録装置１２は、付属部材を装置本体２２の側方、上方、後方などに配置し、外装部材４０で覆ってもよい。
【００６８】
・上記実施形態において、付属部材２３は、留め部４１と穴部４２を有していなくてもよい。また、付属部材２３は、留め部４１と穴部４２の何れか一方を有していてもよい。
・上記実施形態において、爪部６１と突起部６２は、一端４０ａ側から同じだけ離れた位置に形成してもよい。
【００６９】
・上記実施形態において、記録装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００７０】
Ａ…第１抜け方向、Ｂ…取り付け方向、Ｃ…第２抜け方向、Ｄ…取り外し方向、Ｘ…走査方向、Ｙ…搬送方向、Ｚ…重力方向、Ｐ１…着脱体勢、Ｐ２…被覆体勢、１１…複合機、１２…記録装置、１３…画像読取装置、１４…自動給紙装置、１５…操作部、１６…媒体、１７ａ…第１媒体収容部、１７ｂ…第２媒体収容部、１８…排出部、１９…手掛部、２０…回転機構、２１…収容容器、２２…装置本体、２３…付属部材、２４…凸形状部、２５…凹形状部、２７…給送部、２８…搬送部、２９…記録部、３０…ピックアップローラー、３１…当接部、３２…搬送駆動ローラー、３３…搬送従動ローラー、３４…搬送ローラー対、３５…媒体支持部、３６…ガイド軸、３７…キャリッジ、３８…記録ヘッド、４０…外装部材、４０ａ…一端、４０ｂ…他端、４１…留め部（第１被係合部の一例）、４２…穴部（第２被係合部の一例）、４３…舌片部、４４…凹部、４５…凸部、４６…長穴、４７…側方ねじ穴、４８…側方ねじ穴、４９…ねじ、５１…前面部、５２…側面部、５３…背面部、５４…底面部、５５…上面部、５７…下方ねじ穴、５８…上方ねじ穴、５９…後方ねじ穴、６１…爪部（第１係合部の一例）、６２…突起部（第２係合部の一例）、６３…ガイド部。
【図１】
0006801182.tif 000002
【図２】
0006801182.tif 000003
【図３】
0006801182.tif 000004
【図４】
0006801182.tif 000005
【図５】
0006801182.tif 000006
【図６】
0006801182.tif 000007
【図７】
0006801182.tif 000008
【図８】
0006801182.tif 000009
【図９】
0006801182.tif 000010
【図１０】
0006801182.tif 000011
【図１１】
0006801182.tif 000012
【図１２】
0006801182.tif 000013
【図１３】
0006801182.tif 000014
【図１４】
0006801182.tif 000015
【図１５】
0006801182.tif 000016
【図１６】
0006801182.tif 000017
【図１７】
0006801182.tif 000018